(57)【特許請求の範囲】
【請求項１】
複数の基地局制御部に連結されて、第１モジュールでプロセッサを有する複数のワークステーション及び第２モジュールでそれぞれの基地局制御部に結合された複数のアクセススイッチプロセッサを持つ移動交換システムを含む通信システムで、前記移動交換システムにおける半呼の発信と着信との間に呼を処理する方法において、
(a)アクセススイッチプロセッサに受信されたメッセージが基地局制御部から伝送されるか否かを、アクセススイッチプロセッサによって判断する過程と、
(b)前記受信されたメッセージが前記基地局制御部からのものであれば、前記第１モジュールと前記第２モジュールとの間に制御信号を交換するワークステーションのいずれか１つを選択する過程と、
(c)前記受信されたメッセージが前記基地局制御部からのものでなければ、前記受信されたメッセージが前記ワークステーションのいずれか１つから伝送されるか否かを判断する過程と、
(d)前記受信されたメッセージが前記ワークステーションのいずれか１つから伝送されると、前記受信されたメッセージ内にバッファインデックス番号を付与するとともに、前記メッセージを前記ＢＳＣに伝送する過程と、からなり、
前記ワークステーションを選択する前記ステップ(b)は、
(1)前記基地局制御部から受信されたメッセージから呼区別情報を検索する過程と、
(2)前記受信されたメッセージが呼発信メッセージであるか否かを判断する過程と、
(3)前記受信されたメッセージが前記呼発信メッセージに該当すると、サービス領域の前記移動交換システム内の前記ワークステーションの個数を検出する過程と、
(4)前記呼区別情報を前記(3)で検出された前記ワークステーションの個数で割った残りを調査して、前記呼発信メッセージを伝送すべきワークステーションを指定する過程と、
(5)前記呼区別情報をインデックスとして使用して、前記(4)で指定されたワークステーションの指定情報を管理テーブルに登録する過程と、
(6)前記受信されたメッセージを前記選択されたワークステーションに伝送する過程と、を含むことを特徴とする方法。
【請求項２】
前記受信されたメッセージがページング応答メッセージである場合、受信メッセージの呼区別情報を利用して管理テーブルに登録された上記プロセッサ指定情報を読み出す過程と、
前記ワークステーションに前記受信されたメッセージを伝送する過程と、をさらに含む請求項１記載の方法。
【請求項３】
前記呼発信メッセージを要求する所定の移動局に対応する前記呼区別情報は、所定の整数の範囲から選択される請求項１記載の方法。
【請求項４】
複数の基地局制御部に連結されて、第１モジュールでプロセッサを有する複数のワークステーション及び第２モジュールでそれぞれの基地局制御部に結合された複数のアクセススイッチプロセッサを持つ移動交換システムを含む通信システムで、前記移動交換システムにおける半呼の発信と着信との間に呼を処理する方法において、
(a)アクセススイッチプロセッサに受信されたメッセージが基地局制御部から伝送されるか否かを、アクセススイッチプロセッサによって判断する過程と、
(b)前記受信されたメッセージが前記基地局制御部からのものであれば、前記第１モジュールと前記第２モジュールとの間に制御信号を交換するワークステーションのいずれか１つを選択する過程と、
(c)前記受信されたメッセージが前記基地局制御部からのものでなければ、前記受信されたメッセージが前記ワークステーションのいずれか１つから伝送されるか否かを判断する過程と、
(d)前記受信されたメッセージが前記ワークステーションのいずれか１つから伝送されると、前記受信されたメッセージ内にバッファインデックス番号を付与するとともに、前記メッセージを前記ＢＳＣに伝送する過程と、からなり、
前記ステップ(d)は、
(1)前記受信されたメッセージが伝送されたワークステーションの指定情報を、複数のセルから構成されるページングバッファに登録する工程と、
(2)前記受信されたメッセージに、前記ページングバッファのセルのアドレスを付与することにより、ページング要求メッセージを構成する工程と、
(3)前記付与されたアドレスを有する前記ページング要求メッセージを前記基地局制御部に伝送する過程と、を含む方法。
【請求項５】
(4)前記基地局制御部から受信されたメッセージが前記ページング要求メッセージに対するページング要求応答メッセージであるか否かを判断する過程と、
(5)前記ページング要求応答メッセージが受信されると、前記ページング要求応答メッセージから前記バッファインデックス番号を検索する過程と、
(6)前記検索されたバッファインデックス番号に対応するワークステーション情報を前記ページングバッファから読み出す過程と、
(7)前記ワークステーション情報によって前記ページング要求応答メッセージを伝送する過程と、をさらに含む請求項４記載の方法。
【請求項６】
前記読み出されたワークステーション情報を前記移動交換システムのルックアップテーブルに貯蔵する過程をさらに含む請求項４記載の方法。
【請求項７】
前記受信されたメッセージが前記ページング要求応答メッセージでないと、前記基地局制御部から受信されたメッセージから呼区別情報を検索する過程と、
前記受信されたメッセージを前記検索された呼区別情報に対応するワークステーションに伝送する過程と、をさらに含む請求項４記載の方法。
【請求項８】
前記呼発信メッセージを要求する所定の移動局に対応する呼区別情報は、所定の整数の範囲から選択される請求項４記載の方法。
【発明の詳細な説明】
【０００１】
【発明の属する技術分野】
本発明は、移動交換システム(Mobile Switching System/Center: 以下、ＭＳＣと称する)における呼処理方法に関し、特に、半呼(call half)の発信と半呼着信との間に前記ＭＳＣで発生された負荷を分担して処理する方法に関する。
【０００２】
【従来の技術】
一般的に、移動交換システムは、移動局(Mobile Station: ＭＳ)に通信サービスを提供する交換システムであり、図１のように、移動局と移動局、または、移動局とケーブルネットワークをスイッチングする機能を遂行する。
【０００３】
図２は、従来のＭＳＣの構造を示す概略図である。図２のように、ソフトウェア部分はハードウェア部分と結合されて一体になっている。従来のＭＳＣでは、前記ハードウェア部分及び前記ソフトウェア部分が１つのプロトコルとして結合されている。前記ＭＳＣのハードウェアが基地局(Base Station)と動作結合されるので、前記ＭＳＣの負荷の制御は負荷分担アルゴリズムソフトウェアによって遂行された。
【０００４】
通信産業の発達につれて、データ、イメージ情報、及び映像情報の伝送要求のような、より複雑な作業を処理するＭＳＣが必要になり、前記のようなＭＳＣを次世代ＭＳＣと称する。しかしながら、前記次世代ＭＳＣは、基地局と整合されるハードウェア部分と前記ハードウェアを制御するソフトウェア部分とを分離するので、前記ソフトウェア部分を示す複数の独立されたワークステーション(workstation)間の重い負荷を制御し、相違する移動局によって発生された呼を処理する新しい方法が必要になった。
【０００５】
【発明が解決しようとする課題】
従って、前記のような問題点を解決するための本発明の目的は、移動局によって呼が発生される時、実時間(real time)で半呼の発信と着信との間の負荷を分担する方法を提供することにある。
【０００６】
本発明の他の目的は、半呼の発信と着信との間のプロトコル処理を前記ＭＳＣの同一な上位プロセッサで遂行するようにする方法を提供することにある。
本発明のまた他の目的は、ページング要求メッセージ及びページング要求応答メッセージが前記ＭＳＣと基地局制御部(Base Station Controller: 以下、ＢＳＣと称する)との間に交換される時、上位プロセッサを指定する方法を提供することにある。
【課題を解決するための手段】
本発明は、複数の基地局制御部に連結されて、第１モジュールでプロセッサを有する複数のワークステーション及び第２モジュールでそれぞれの基地局制御部に結合された複数のアクセススイッチプロセッサを持つ移動交換システムを含む通信システムで、前記移動交換システムにおける半呼の発信と着信との間に呼を処理する方法において、(ａ)アクセススイッチプロセッサに受信されたメッセージが基地局制御部から伝送されるか否かを、アクセススイッチプロセッサによって判断する過程と、(ｂ)前記受信されたメッセージが前記基地局制御部からのものであれば、前記第１モジュールと前記第２モジュールとの間に制御信号を交換するワークステーションのいずれか１つを選択する過程と、(ｃ)前記受信されたメッセージが前記基地局制御部からのものでなければ、前記受信されたメッセージが前記ワークステーションのいずれか１つから伝送されるか否かを判断する過程と、(ｄ)前記受信されたメッセージが前記ワークステーションのいずれか１つから伝送されると、前記第１モジュールと前記第２モジュールとの間に制御信号を交換するワークステーションのいずれか１つを選択する過程と、からなることを特徴とする。
上記発明において、前記ワークステーションを選択する方法において、(１)前記基地局制御部から受信されたメッセージから呼区分コードを検索する(retrieving)過程と、(２)前記受信されたメッセージが呼発信メッセージであるか否かを判断する過程と、(３)前記受信されたメッセージが前記呼発信メッセージに該当すると、サービス領域の前記移動交換システム内の前記ワークステーションの個数を検出する過程と、(４)前記決定されたワークステーションの個数を前記検索された区分コードで割って求められた残り値によって選択される前記ワークステーションのいずれか１つを選択して前記呼発信メッセージを伝送する過程と、(５)前記移動交換システムのルックアップテーブルに前記呼区分コードに対応する前記選択されたワークステーションを貯蔵する過程と、 (６)前記受信されたメッセージを前記選択されたワークステーションに伝送する過程と、を含む請求項１記載の方法。
上記発明において、前記受信されたメッセージが前記呼発信メッセージでないと、前記検索された呼区分コードに対応するワークステーション情報を前記ルックアップテーブルから求める過程と、 前記ワークステーション情報によって前記受信されたメッセージを伝送する過程と、をさらに含む。
上記発明において、前記呼発信メッセージを要求する所定の移動局に対応する前記呼区分コードは、所定の整数の範囲から選択される。
上記発明において、前記ワークステーションを選択する方法において、(１)前記ワークステーションのいずれか１つからのページング要求メッセージに応答して、それぞれのページングバッファの位置に対応する所定のバッファインデックス番号を含んで前記移動交換システム内に位置する前記ページングバッファに、前記ワークステーションのいずれか１つの情報を貯蔵する過程と、(２)前記ページング要求メッセージに前記バッファインデックス番号を付与する過程と、(３)前記付与されたバッファインデックス番号を有する前記ページング要求メッセージを前記基地局制御部に伝送する過程と、を含む。
上記発明において、(４)前記基地局制御部から受信されたメッセージが前記ページング要求メッセージに対するページング要求応答メッセージであるか否かを判断する過程と、(５)前記ページング要求応答メッセージが受信されると、前記ページング要求応答メッセージから前記バッファインデックス番号を検索する過程と、(６)前記検索されたバッファインデックス番号に対応するワークステーション情報を前記ページングバッファから読み出す過程と、(７)前記ワークステーション情報によって前記ページング要求応答メッセージを伝送する過程と、を含む。
上記発明において、前記読み出されたワークステーション情報を前記移動交換システムのルックアップテーブルに貯蔵する過程をさらに含む。
上記発明において、前記受信されたメッセージが前記ページング要求応答メッセージでないと、前記基地局制御部から受信されたメッセージから呼区分コードを検索する過程と、前記受信されたメッセージを前記検索された呼区分コードに対応するワークステーションに伝送する過程と、をさらに含む。
上記発明において、前記呼発信メッセージを要求する所定の移動局に対応する呼区別メッセージは、所定の整数の範囲から選択される。
【０００７】
【発明の実施の形態】
以下、本発明による好適な一実施例を添付図面を参照しつつ詳細に説明する。以下の説明では、具体的な特定事項が示しているが、これらは本発明の全般的な理解のためであり、特定事項なしで、または、変形によって遂行できることは、当技術分野で通常の知識を有する者には自明である。下記説明において、本発明の要旨を明確にするために関連した公知機能または構成に対する具体的な説明は省略する。
【０００８】
図１は、本発明が適用できる通常的な移動通信システムの構成を示す概略図であり、前記移動通信システムは、ケーブルネットワーク５０と移動局部とに区分される。前記ＭＳＣ１０は、ケーブルネットワーク５０と移動局部との間に配置される。前記移動局部は、ＢＳＣ３０、複数の基地局送受信部４０−１乃至４０−ｎ(Base Transceiver Station: 以下、ＢＴＳ４０と称する)、及び複数の移動局１乃至ｎを含む。この時、前記ＢＳＣ３０は、図面上では１つの構成要素として示しているが、他のＢＳＣをさらに含むこともできるということは、当技術分野で通常の知識を有する者には自明である。前記ＢＴＳ４０は、セル領域を定義し、前記セル領域に位置する移動局に対して登録を遂行した後、前記登録された移動局にサービスを提供する。前記ＢＳＣ３０及びＭＳＣ１０は、呼の処理及び制御のために制御関連信号を交換する。前記上位プロセッサ２０に連結されたＭＳＣ１０は、呼処理のための制御動作を遂行し、呼処理のためのメッセージを交換する。前記上位プロセッサ２０は、ワークステーションによって具現でき、前記ＭＳＣ１０と前記上位プロセッサ２０との間の通信プロトコルは、ＲＳ−４２２方式によって具現できる。
【０００９】
また、前記ＢＳＣ３０、前記ＭＳＣ１０、及び上位プロセッサ２０は、図４のような通信プロトコルによって具現される。前記ＢＳＣ３０はＩＳ−６２４Ａ階層、ＳＣＣＰ(Signaling Connection Control Part)、ＭＴＰ(Message Transfer Protocol)、及び物理階層から構成される。前記ＭＳＣ１０は、ＳＣＣＰ、ＭＴＰ、及び物理階層から構成され、上位プロセッサ２０のＩＳ−６３４Ａが前記ＳＣＣＰの上に位置するようになる。
【００１０】
図３は、本発明の実施形態によって、図１の通常的な移動通信システムの構成に適用される次世代ＭＳＣの構成を示す概略図である。
図３を参照すると、本発明による次世代ＭＳＣは、基地局に整合されるハードウェア部分と前記ハードウェア部分を制御して多様なサービスを遂行するソフトウェア部分とが分離されている構造である。前記のように分離して構成する目的は、前記ハードウェア部分にどのような変形があっても、前記ソフトウェア部分に影響を及ぼさないようにすることである。同様に、前記ソフトウェア部分に変形があっても、前記ハードウェア部分には影響を及ぼさないようになる。
【００１１】
図３のように、前記のような特徴を有する次世代ＭＳＣは、前記ソフトウェア部分に該当する上位プロセッサ２０と前記ハードウェア部分に該当するスイッチング部１０とから構成される。高速メッセージスイッチ(High Message Switch: 以下、ＨＭＳと称する)１３０は、前記上位プロセッサ２０と前記スイッチング部１０との間に配置される。
【００１２】
前記上位プロセッサ２０は、複数のＢＳＣ３０−１乃至ＢＳＣ３０−ｎ(以下、ＢＳＣ３０と称する)から発生された負荷を分担して処理するために、複数のプロセッサ２０−１乃至２０−ｎを有するワークステーション(以下、ＷＳ２０と称する)によって具現することができる。ここで、前記次世代ＭＳＣのソフトウェア部分が自体のプロセッサを有する複数のワークステーションによって具現される場合、前記ワークステーションは、ローカルエリアネットワーク(Local Area Network: ＬＡＮ)を通して相互連結されて、移動呼サービスを遂行するようになる。前記次世代ＭＳＣのソフトウェア部分は、前記複数のプロセッサ２０によって具現されて、自分に割り当てられる負荷を処理する制御動作を遂行するようになる。
【００１３】
前記スイッチング部１０は、前記ＨＭＳ１３０、それぞれの複数のＢＳＣ３０に結合されて対応する複数の呼プロセッサ１５０−１乃至１５０−ｎ(以下、呼プロセッサ１５０と称する)と、アクセススイッチプロセッサ１４０−１乃至１４０−ｎ(Access Switch Processor: 以下、ＡＳＰ１４０と称する)と、から構成される。
【００１４】
前記スイッチング部１０は、前記ＢＳＣ制御関連メッセージを前記ＢＳＣ３０から受信して前記上位プロセッサ２０に伝送し、前記上位プロセッサ２０から前記ＢＳＣ制御要求メッセージを受信して該当ＢＳＣ３０に伝送する。この時、前記スイッチング部１０と前記ＢＳＣ３０との間には、特定移動呼を区別するための区分コードＳＣＣＰ Ｒｅｆｅｒｅｎｃｅ＃が送受信される。前記区分コードは、０から４０９５の一連の整数範囲から選択される固有番号である。つまり、前記区分コードを前記ＢＳＣと前記スイッチング部１０との間の交換中に識別子(identifier)として使用して、前記同一な上位プロセッサは半呼の発信と着信との間のプロトコルを合わせるために使用されることができるようになる。図５のように、前記区分コードは、前記区分コードに該当するＳＣＣＰ Ｒｅｆ＃を含む前記ＳＣＣＰメッセージフレームのスロットで割り当てられる。前記区分コードを使用する場合、複数の独立されたワークステーションから構成された前記上位ソフトウェアＷＳ２０は、前記スイッチング部から発生された基地局関連メッセージの処理動作を分担することができる。
【００１５】
図６乃至図８は、本発明の実施形態によるＡＳＰ１４０によって遂行される制御の手順を示す。図６は、本発明の実施形態によるＭＳＣのＡＳＰ１４０によって遂行される実時間の負荷分担動作のメイン制御手順を示す。図７は、図６の第１サブルーチンを示すフローチャートであり、図８は、図６の第２サブルーチンを示すフローチャートである。前記ＡＳＰ１４０によって遂行されるプロトコル制御は、発呼者の半呼(または、半呼の発信)の処理によって負荷を分担する制御手順と、被呼者の半呼(または、半呼の着信)の処理によって負荷を分担する制御手順と、に区分できる。前記半呼の発信に対する制御手順は、図７の７１０段階乃至７２４段階及び７３０段階によって、半呼の着信に対する制御手順は、図７の７１６段階乃至７２８段階及び図８の８１０段階乃至８２０段階によってより詳しく説明される。
【００１６】
本発明の実施形態によって、前記半呼の発信及び着信の処理動作は前記同一な上位プロセッサ２０によって遂行されるべきであるので、前記スイッチング部１０は呼要求モード及び呼要求応答モード中で上位プロセッサ２０に通報すべきである。前記、半呼の発信中に、特定上位プロセッサ２０は前記区分コードを使用して割り当てられて、前記割り当てられた上位プロセッサ２０は、呼発信処理を遂行することができるようになる。一方、半呼の着信中に、前記該当ＢＳＣからページング要求メッセージを受信すると、前記ページング要求メッセージが伝送される同一な上位プロセッサ２０にページング要求応答メッセージを戻すために、前記スイッチング部１０は、前記ページング要求メッセージを伝送する特定上位プロセッサ２０を一時的に記憶する。
【００１７】
図９は、本発明の実施形態によって、前記発呼者の半呼処理による前記ＢＳＣ３０と前記ＭＳＣ１０との間の制御信号のフローを示し、図１０は、前記被呼者の半呼処理による前記ＢＳＣ３０と前記ＭＳＣ１０との間の制御信号のフローを示す。
【００１８】
ここで、本発明の好適な実施例による制御動作を添付図面を参照しつつ詳細に説明する。
図６を参照すると、６１０段階乃至６１２段階で、前記スイッチング部１０を構成する複数のＡＳＰ１４０−Ｎは、前記ＢＳＣ３０または前記ＷＳ２０からメッセージが受信されるか否かを決定する。６１０段階で、前記ＢＳＣ３０からメッセージが受信されると、前記ＡＳＰ１４０は６１４段階に進行して第１サブルーチンを遂行する。一方、６１０段階で、前記ＢＳＣ３０からメッセージが受信されないと、前記ＡＳＰ１４０は６１２段階に進行して、前記上位プロセッサを構成する前記ＷＯ２０からメッセージが受信されるか否かをさらに決定する。６１２段階で、前記ＷＯ２０からメッセージが受信されると、前記ＡＳＰ１４０は６１６段階に進行して第２サブルーチンを遂行する。一方、６１２段階で、前記ＷＯ２０からメッセージが受信されないと、前記ＡＳＰ１４０は６１８段階に進行して、前記ＢＳＣのインターフェーシングの維持及び前記ＡＳＰの負荷の測定などの他の機能を遂行する。
【００１９】
６１０段階で、前記ＢＳＣ３０からメッセージが受信されることによって６１４段階で遂行される第１サブルーチンの動作は、図７の７１０段階乃至７２４段階及び７３０段階で示すように、発呼者の半呼の制御手順を参照しつつ詳細に説明する。７１０段階で、前記ＡＳＰ１４０は前記ＢＳＣからメッセージが受信されるか否かを判断する。７１０段階で、前記ＢＳＣ３０からメッセージが受信されると、前記ＡＳＰ１４０は受信されたメッセージから呼区別情報ＳＣＣＰ Ｒｅｆｅｒｅｎｃｅ＃を分析する。前記受信されたメッセージは図５のように構成され、呼区別情報を書き込む別途の領域を含む。従って、７１２段階で、前記受信されたメッセージの指定領域に書き込まれている呼区別情報にアクセスすることによって、前記呼区別情報ＳＣＣＰ Ｒｅｆｅｒｅｎｃｅ＃を分析することができるようになる。前記呼区別情報は、前記スイッチング部１０に結合されたＢＳＣ３０によって呼を制御するために与えられた値であり、０乃至４０５９の一連の整数範囲によって示される。
【００２０】
７１２段階で、呼区別情報の分析が完了されると、前記ＡＳＰ１４０は７１４段階に進行して、前記受信されたメッセージが呼の連結を要求する発呼者の開始メッセージ(CM Service Request Message)であるか否かを判断する。７１４段階で、前記受信されたメッセージが発呼者の要求メッセージに判断されると、前記ＡＳＰ１４０は所定の基地局制御器部から受信される呼区分コードに基づいて決定された上位プロセッサを指定することによって、前記発呼者の半呼処理動作を遂行する。それから、７１８段階乃至７２４段階で、前記ＡＳＰ１４０は前記受信された呼発信メッセージを前記指定された上位プロセッサに伝送する。７１８段階で、前記ＡＳＰ１４０は、現在動作できる上位プロセッサ２０の個数を把握し、７２０段階に進行して発呼者の要求メッセージを伝送する上位プロセッサ２０を指定する。７２０段階で遂行される上位プロセッサ２０の指定において、残り識別方式(remainder ID scheme)が使用される。つまり、前記受信された呼区別情報を７１８段階で求められた前記上位プロセッサ２０の個数で割った残りを調査して上位プロセッサを指定する。例えば、上位プロセッサ２０の割り当てにおいて、前記呼区別情報を前記上位プロセッサ２０の個数で割った残り値が“０”であると、指定される上位プロセッサ２０はＷＳ０である。同様に、残りが“１”であると、指定される上位プロセッサ２０はＷＳ１であり、残りが“２”であると、指定される上位プロセッサ２０はＷＳ２である。
【００２１】
発呼者の要求メッセージが伝送される上位プロセッサ２０の指定が前記のように遂行されると、前記ＡＳＰ１４０は７２２段階に進行する。７２２段階で、前記ＡＳＰ１４０は、前記呼区別情報をインデックスとして使用して、前記指定された上位プロセッサ２０を含む指定情報を＜表１＞のように管理テーブルに登録する。
【００２２】
【表１】
0003863016.tif 000002
【００２３】
前記＜表１＞のように、前記上位プロセッサの指定情報は前記呼区別情報に対応して管理テーブルに貯蔵されるので、後で受信されるメッセージは、前記呼要求メッセージの呼区別情報に基づいて呼発信要求を処理することのできるルックアッテーブルを備える。
【００２４】
７２２段階で、前記管理テーブルに前記上位プロセッサの指定情報の登録が完了されると、前記ＡＳＰ１４０は７２４段階に進行して、７１０段階で受信された発呼者の要求メッセージを、７２０段階で指定された前記上位プロセッサに伝送することができる。
【００２５】
しかしながら、７１４段階で、前記受信されたメッセージが前記発呼者の要求メッセージでないと判断される場合、前記ＡＳＰ１４０は７１６段階に進行して、前記受信されたメッセージがページングメッセージであるか否かを判断する、７１６段階で、前記受信されたメッセージがページングメッセージでないと判断される場合は、７３０段階に進行する。それから、前記ＡＳＰ１４０は、７１２段階で分析された前記呼区別情報によって前記管理テーブルに登録された前記上位プロセッサの指定情報を読み出して、前記受信されたメッセージが伝送される上位プロセッサを選択するようになる。それから、前記ＡＳＰ１４０は７２４段階に進行して、前記選択された上位プロセッサに前記受信されたメッセージを伝送する。
【００２６】
ここで、図６の６１２段階で遂行される第２サブルーチンの動作を、図７の７１６段階乃至７２８段階及び図８の８１０段階乃至８２０段階で示す前記被呼者の半呼処理を参照して詳細に説明する。
【００２７】
前記ＡＳＰ１４０は、８１０段階で、前記上位プロセッサ１４０から受信されたメッセージを分析し、８１２段階で、前記分析された受信されたメッセージがページング要求であるか否かを判断する。 前記ページング要求は、着信された呼が存在することを知らせるための要求である。この時、前記ページング要求には何の呼区別情報も含まれていないので、前記該当ページング要求応答メッセージは同一な上位プロセッサに戻されることができる。前記のように、また他の方法は、本発明の実施形態によって具現される。
【００２８】
従って、８１２段階で、前記受信されたメッセージがページング要求メッセージであると判断される場合、前記ＡＳＰ１４０は８１４段階に進行して、前記受信されたメッセージが伝送された前記上位プロセッサ２０の情報をページングバッファに登録する。前記ページングバッファは、前記上位プロセッサの指定情報を一時的に貯蔵するための複数のセルから構成され、各セルは固有のアドレス識別子を含む。従って、前記上位プロセッサのアイデンティティを指定する指定情報を一時的に貯蔵するために、自己識別子(own identifier)情報を有する使用可能のセルを選択する。例えば、前記上位プロセッサの指定情報が一時的に貯蔵されるページングバッファの例を示すと、＜表２＞のようである。
【００２９】
【表２】
0003863016.tif 000003
【００３０】
８１４段階で、相違する上位プロセッサに該当する前記指定情報の一時的な貯蔵が完了された後、前記ＡＳＰ１４０は８１６段階に進行して、前記ページングバッファのセルのアドレス(インデックス)を付与することによってページング要求メッセージを構成する。つまり、区分を明確にするために、前記セルのインデックス番号をタグ変数として付与する。前記ページング要求メッセージの構成が完了されると、前記ＡＳＰ１４０は８１８段階に進行して、前記構成されたページング要求メッセージを対応するＢＳＣ３０に伝送する。
【００３１】
前記対応するＢＳＣ３０は、前記ＡＳＰ３０から伝送された前記ページング要求メッセージを受信すると、前記セルインデックスタグが付与されたページング応答メッセージを前記上位プロセッサ２０に伝送する。従って、前記ページング応答メッセージは、前記ページング要求メッセージを最初に伝送した前記上位プロセッサを区別するために使用できるアドレスを含む。
【００３２】
図７の７１６段階で、前記ＡＳＰ１４０は、前記ＢＳＣ３０から前記上位プロセッサに伝送された前記ページング応答メッセージを検出する。つまり、７１６段階で、前記ＡＳＰ１４０は、前記ＢＳＣ３０から受信されたメッセージがページング応答メッセージであるかを判断する。７１６段階で、前記受信されたメッセージがページング応答メッセージであると判断される場合、前記ＡＳＰ１４０は７２６段階に進行して、ページングバッファの該当セルに対するタグ変数として使用されたアドレスを分析する。ここで、前記タグ変数は前記受信されたページング応答メッセージに含まれる。前記ページングバッファの特定セルが決定された後、前記ＡＳＰ１４０は７２８段階に進行して、前記決定されたセルに該当する上位プロセッサの情報を求める。
【００３３】
前記動作によって前記上位プロセッサの指定情報が決定されると、前記ＡＳＰ１４０は７２２段階に進行して、前記上位プロセッサの指定情報を管理テーブルに登録する。前記管理テーブルに前記区別情報を登録した後、前記ＡＳＰ１４０は７２４段階に進行して、前記受信されたページング応答メッセージを前記登録された指定情報に該当する上位プロセッサに伝送する。
【００３４】
一方、８１０段階で、前記分析された受信されたメッセージがページング要求でないと判断される場合、前記ＡＳＰ１４０は８２０段階に進行して、前記受信されたメッセージを該当ＢＳＣ３０に伝送する。
従って、本発明は、新しい呼が発生される時、実時間に負荷の分担処理ができるようにする。前記同一な上位プロセッサが発呼者の半呼処理及び被呼者の半呼処理を遂行する場合、下位スイッチング部は前記上位プロセッサにメッセージを伝送する。上位プロセッサが開始移動呼を処理するために指定される場合、呼連結が設定されるまで任意の応答メッセージを同一な上位プロセッサに提供する。また、前記ページング要求上位プロセッサを探し出すための呼区別情報が存在しない時、ページング動作を要求した上位プロセッサにメッセージを伝送することができる。
【００３５】
【発明の効果】
前述してきたように、本発明は、半呼の発信及び着信の動作を遂行し、呼が発生される時に実時間に負荷の分配することによって好適に負荷の分担を遂行するために、ハードウェア部分及びソフトウェア部分を区分して提供することによって、迅速な呼処理ができるという長所がある。また、対応する呼連結が確立されるまで、同一な上位プロセッサによって前記受信されたメッセージが続けて処理されることによって、より信頼できる呼処理が遂行される。
【００３６】
一方、前記本発明の詳細な説明では具体的な実施形態に上げて説明してきたが、本発明の範囲内で様々な変形が可能であるということは勿論である。従って、本発明の範囲は前記実施形態によって限られてはならず、特許請求の範囲とそれに均等なものによって定めるべきである。
【図面の簡単な説明】
【図１】  通常の移動通信システムの構成を示す概略図である。
【図２】  従来移動交換システムの基本構造を示す概略図である。
【図３】  本発明の実施形態による次世代移動交換システムの基本構造を示す概略図である。
【図４】  本発明の実施形態による移動交換システムのプロトコルの構造を示す概略図である。
【図５】  本発明の実施形態を達成するために基地局と移動交換システムとの間に伝送されるメッセージの構成を示す概略図である。
【図６】  本発明の実施形態による移動交換システムで負荷の分担処理を遂行するメイン制御ルチーンを示す。
【図７】  図６の第１サブルーチンを示すフローチャートである。
【図８】  図６の第２サブルーチンを示すフローチャートである。
【図９】  本発明の実施形態による基地局と移動交換システムとの間に交換される信号制御のフローを示す。
【図１０】  本発明の実施形態による基地局と移動交換システムとの間に交換される信号制御のフローを示す。
【符号の説明】
１０  移動交換システム
２０  上位プロセッサ
２０−１〜２０−ｎ  ワークステーション
３０−１〜３０−ｎ  基地局制御部
１３０  高速メッセージスイッチ
１４０−１〜１４０−ｎ  アクセススイッチプロセッサ
１５０−１〜１５０−ｎ  呼プロセッサ
【図１】
0003863016.tif 000004
【図２】
0003863016.tif 000005
【図３】
0003863016.tif 000006
【図４】
0003863016.tif 000007
【図５】
0003863016.tif 000008
【図６】
0003863016.tif 000009
【図７】
0003863016.tif 000010
【図８】
0003863016.tif 000011
【図９】
0003863016.tif 000012
【図１０】
0003863016.tif 000013